(57)【要約】【課題】本発明は、焼却炉の熱的耐久性を向上して長寿命な高耐火性焼却炉を供給するために、バーナー装置のバーナー本体の早期劣化を抑制するためのバーナー装置の冷却構造、並びにロストル及びロストル台の熱的強度の早期劣化を抑制するために、当該ロストル及びロストル台の構造を課題とする。【解決手段】本発明の高耐火性焼却炉のバーナー装置は、外筒と、該外筒の外周に設置した冷却空気を供給する冷却環と、該外筒の内側に外筒と同心状の２重管としたドラフトチューブと呼ばれるバーナー本体である内筒と、を有する冷却機構を備えており、ロストル及びロストル台は、耐火コンクリート若しくはセラミックの成型品で、該ロストル台には一次燃焼室への空気供給を行うために焼却炉体内への空気吹出し口を設けた空気流通経路を設けた、ことを特徴とするものである。【選択図】図１
2005299951.tif 000002
【特許請求の範囲】
【請求項１】
被燃焼物を燃焼する一次燃焼室を形成する焼却炉体の下部にロストルを設け、該燃焼炉体には焼却物投入口と焼却灰排出口を設け、該焼却物投入口には投入口密閉扉を開閉自在に設け、該焼却灰排出口には排出口密閉扉を開閉自在に設け、前記燃焼炉体の上面には前記一次燃焼室に連通する排気筒を設け、該排気筒は二次燃焼室を形成すると共に上端部に排気口を有する焼却炉であって、
前記排気筒に一次燃焼室から流れてくる燃焼ガスを昇温させるバーナー装置を取付け、該バーナー装置は、外筒と、該外筒の外周に設置した冷却空気を供給する冷却環と、該外筒の内側に外筒と同心状の２重管として配置したドラフトチューブと呼ばれている内筒と、を有する冷却機構を備えている、ことから構成されている冷却機構付バーナー装置である、ことを特徴とする高耐火性焼却炉。
【請求項２】
被燃焼物を燃焼する一次燃焼室を形成する焼却炉体の下部にロストルを設け、該燃焼炉体には焼却物投入口と焼却灰排出口を設け、該焼却物投入口には投入口密閉扉を開閉自在に設け、該焼却灰排出口には排出口密閉扉を開閉自在に設け、前記燃焼炉体の上面には前記一次燃焼室に連通する排気筒を設け、該排気筒は二次燃焼室を形成すると共に上端部に排気口を有する焼却炉であって、
前記ロストル及び該ロストルを支えるロストル台は、耐火コンクリート若しくはセラミックの成型品であり、該ロストル台には一次燃焼室への空気供給を行うために焼却炉体外に設置されたブロアに連通した一次空気送風管に接続された空気流通経路を設け、該空気流通経路には焼却炉体内への空気吹出し口を設けた、ことを特徴とする高耐火性焼却炉。
【請求項３】
請求項２に記載の焼却炉であって、
前記排気筒に一次燃焼室から流れてくる燃焼ガスを昇温させるバーナー装置を取付け、該バーナー装置は、外筒と、該外筒の外周に設置した冷却空気を供給する冷却環と、該外筒の内側に外筒と同心状の２重管として配置したドラフトチューブと呼ばれている内筒と、を有する冷却機構を備えている、ことから構成されている冷却機構付バーナー装置である、ことを特徴とする高耐火性焼却炉。
【請求項４】
請求項３に記載の焼却炉であって、
前記冷却機構付バーナー装置は、前記冷却環には外部から冷却空気を供給する空気供給口が立設され、前記外筒には該冷却環から送られた空気を流入させる複数の外筒空気孔が穿設され、前記同心状の外筒と内筒との間には隙間が設けられた、ことから構成されている冷却機構付バーナー装置である、ことを特徴とする高耐火性焼却炉。
【請求項５】
被燃焼物を燃焼する一次燃焼室を形成する焼却炉体の下部にロストルを設け、該燃焼炉体には焼却物投入口と焼却灰排出口を設け、該焼却物投入口には投入口密閉扉を開閉自在に設け、該焼却灰排出口には排出口密閉扉を開閉自在に設け、前記燃焼炉体の上面には前記一次燃焼室に連通する排気筒を設け、該排気筒に連通して二次燃焼室を形成すると共に上端部に排気口を有する燃焼筒を設けた焼却炉であって、
前記排気筒に一次燃焼室から流れてくる燃焼ガスを昇温させるバーナー装置を斜め上方へ設け、該バーナー装置の火炎が排気筒の中を渦巻状に回流するように配置され、
該バーナー装置は、外筒と、該外筒の外周に設置した冷却空気を供給する冷却環と、該外筒の内側に外筒と同心状の２重管として配置したドラフトチューブと呼ばれている内筒と、を有する冷却機構を備えている、ことから構成されている冷却機構付バーナー装置であり、該冷却機構付バーナー装置は、前記冷却環には外部から冷却空気を供給する空気供給口が立設され、前記外筒には該冷却環から送られた空気を流入させる複数の外筒空気孔が穿設され、前記同心状の外筒と内筒との間には隙間が設けられており、
前記ロストル及び該ロストルを支えるロストル台は、耐火コンクリート若しくはセラミックの成型品であり、該ロストル台には一次燃焼室への空気供給を行うために焼却炉体外に設置されたブロアに連通した一次空気送風管に接続された空気流通経路を設け、該空気流通経路には焼却炉体内への空気吹出し口を設けた、ことを特徴とする高耐火性焼却炉。
【発明の詳細な説明】
【技術分野】
【０００１】
本発明は、焼却炉に関し、特に焼却炉の熱的耐久性を向上した長寿命な製品に関する。
【背景技術】
【０００２】
従来、焼却炉は有害物質を分解するために、８００℃以上の高温で焼却を行うことが法制化（「ダイオキシン類対策特別措置法（平成１１年法律第１０５号）」に基づく「廃棄物の処理及び清掃に関する法律施行規則（昭和４６年厚生省令第３５号）」の一部を改正する環境省令第８号  平成１４年１２月1日施行）され、一方、使用者の側から紙や木材以外にプラスチックスやコンパネ（コンクリート・パネルの略。コンクリート型枠用合板のこと。）など燃焼時に高い熱量を発生する廃棄物も混入されるケースがある。そして、焼却炉の焼却炉体内部に使用される構成部材は、１０００℃以上に耐えることができる耐火キャスタ若しくは耐火レンガによっているが、一部の構成部材については金属製の構成部材であり、焼却炉の長寿命化の観点から、早期疲労が問題となっている。
【０００３】
特に、バーナー装置のドラフトチューブと呼ばれているバーナー本体の噴出し口は、噴出しの火炎にさらされるので、当該バーナー本体の温度上昇により、バーナー本体の材質である金属の劣化が進み、比較的早い時期に変形、亀裂を生じて使用することができなくなる場合があり、問題となっていた。また、ロストル及びロストル台も金属製である場合も多く、バーナー本体と同様に熱的強度が問題となっていた。
【０００４】
ところで、従来のロストル及びロストル台は、図９に一例を示すように、ロストル台８ｃの架台上に、ロストル２２ｃを載置する。当該架台であるロストル台８ｃは、鋼線でロストル２２ｃを支持できるように架台状に組み上げられている。また、当該ロストル２２ｃも、同様に鋼線で短冊状の網目に組み上げられている。このように、当該ロストル２２ｃ、及びロストル台８ｃは、製造が容易であり、かつ取扱いも容易であることにより従来からステンレス等の金属製を用いているが焼却による熱劣化により、比較的早期に細りや切れが生じて使用が不能となっていた。
【０００５】
また、従来の焼却炉は、一次燃焼室内に投入された被燃焼物の焼却を促進するための空気の供給をロストルの上部位置に設けられた金属製の一次空気供給管から供給されていたので、一次空気供給管の熱疲労による早期劣化が生じていた。
【０００６】
また、空気供給の方法として、一次燃焼室の燃焼をよくするために焼却炉体側壁内に一次空気供給管を埋設し一次燃焼室全般への空気供給を行っていたが、故障発生時において故障箇所の発見が極めて困難であり、さらに、実際の修理作業を行う場合に焼却炉体の耐火コンクリートあるいは耐火レンガを破壊することが必要とされ、修理作業が困難を極めていた。
【０００７】
特許文献１に記載の発明には、「底部にロストルを備え、前壁に廃棄物投入口を有して一次燃焼室を形成する炉体と、この炉体部に連通し前記一次燃焼室から流れてくる燃焼ガスを高温化するバーナを有する排気筒と、この排気筒に連通して上端に排気口を有するとともに、筒内に加圧空気を供給する二次空気供給管を同心配置して二次燃焼室を形成する燃焼筒とを備えてなる小規模焼却炉と、前記小規模焼却炉の廃棄物投入口に該廃棄物投入口を開閉可能に設けられ、前記廃棄物投入口を閉塞した状態で廃棄物を炉体内の一次燃焼室に投入することができる外気遮断投入装置とからなる」外気遮断投入装置付小規模焼却炉が記載されている。しかし、バーナー本体の冷却、並びにロストル及びロストル台の燃焼熱に対する材質の劣化対策を目的とするものではない。
【０００８】
また、特許文献２に記載の発明には、「上部にごみ投入口と煙突を有する縦型の焼却筒底部にロストルを設置し、焼却筒の中心にロストルを貫通して空気供給筒を起立し、空気供給筒の基端に送風機を接続するとともに空気供給筒の先端を閉じその周壁には多数の噴気口を形成し、さらに空気供給筒の外周をその外径より大きい金属製防護ネットで被覆するようにした」ことが記載されている。しかし、バーナー本体の冷却、並びにロストル及びロストル台の燃焼熱に対する材質の劣化対策を目的とするものではない。
【０００９】
特許文献３に記載の発明には、「好適なオイル燃料が中央オイル通路２８からオイル口４４へ流れ込む、と同時に、空気等の噴霧流体が中央オイル通路２８の外周に設けられた噴霧通路８２を通って室３６に流れ込む。そして、当該室３６に流れ込んだ噴霧流体の一部が複数の噴霧口４８を通って流れ、オイル口４４を通過するオイル燃料の軸方向の流れに突き当たり、オイル燃料を無数の微細粒子に変換して噴霧されオイル粒子となる。そして、当該オイル粒子は、バーナー先端開口部５０の放出円錐部７０にて膨張して噴霧して放出される。また、噴霧流体の一部は、放出円錐部７０の外周に設けられた輪状通路７８から外に向って配送され、当該バーナー先端開口部５０から噴霧されたオイル粒子の回りに境界層冷却環を形成する。更に、噴霧通路８２の外周に、酸素を供給する室９４が形成され、当該室９４の開口部１９から放出された酸素は、噴霧されたオイル粒子を囲む酸素の袋となる。」（特許文献１の［００１９］〜［００２５］を要約する。）と記載されている。
【００１０】
このように、オイル燃料の通路として中央オイル通路２８を設け、当該中央オイル通路２８の外周に噴霧流体の噴霧通路８２が設けられ、更に、噴霧通路８２の外周に、酸素を供給する室９４が形成されている。そして、噴霧流体の噴霧通路８２から噴霧された噴霧流体は噴霧されたオイル粒子の回りに境界層冷却環を形成するものであり、噴霧通路８２の外周に形成された室９４は、噴霧されたオイル粒子を囲む酸素の袋を作るものである。しかし、特許文献３の発明は、バーナー本体の冷却、並びにロストル及びロストル台の燃焼熱に対する材質の劣化対策を目的とするものではない。
【００１１】
【特許文献１】特開２００３−３１４８１０号公報（第２頁、右欄２８〜３８行目、及び図１〜図４）
【特許文献２】特開平１０−１８５１５０号公報（第２頁、左欄２３〜２９行目、及び図１）
【特許文献３】特開平７−４６１９号公報（第５頁左欄２０行目〜第６頁左欄８行目、及び図１〜図６）
【発明の開示】
【発明が解決しようとする課題】
【００１２】
ところで、バーナー本体の高温を維持するために、当該バーナー本体の温度上昇は避けられないものである。従って、当該バーナー本体の材質である金属等の温度上昇により劣化が進み、比較的早い時期に変形、亀裂を生じて使用することができなくなる場合がある。
【００１３】
また、ロストル及びロストル台も金属製である場合も多く、バーナー本体と同様に熱的強度が問題となり、変形、亀裂、等で使用することができなくなる場合がある。
【００１４】
しかし、これらの問題点に対して、特許文献１〜３には、その解決策が示されていない。
【００１５】
そこで、本発明は上記に鑑みてなされたもので、焼却炉の熱的耐久性を向上して長寿命な高耐火性焼却炉を供給するために、バーナー装置のバーナー本体の早期劣化を抑制するためのバーナー装置の冷却構造、並びにロストル及びロストル台の熱的強度の早期劣化を抑制するために、当該ロストル及びロストル台の構造を課題とするものである。
【００１６】
すなわち、本発明は、排気筒若しくは燃焼筒に取付けられたバーナー装置のバーナー本体の火炎により排気筒若しくは燃焼筒の２次燃焼室内の温度が上昇し、当該バーナー本体は、その材質である金属の温度上昇による劣化が進み、比較的早い時期に変形、亀裂が生じて使用することができなくなる場合があったので、バーナー本体の金属の劣化を抑制できるようなバーナー装置の冷却構造を課題とする。
【００１７】
また、本発明は、焼却炉体の底面に設置されるロストル台、及びロストル台上に載置されるロストルは、従来からステンレス等の金属製を用いているが焼却による熱劣化により、比較的早期に細りや切れが生じて使用が不能となる場合があったので、当該ロストル及びロストル台の熱的強度の向上と保守点検の容易な構造を課題とするものである。
【００１８】
また、焼却炉体の一次燃焼室の燃焼をよくするために焼却炉体側壁内に一次空気供給管を埋設し一次燃焼室全般への空気供給を行っているが、当該一次空気供給管の熱疲労による早期劣化等の故障発生時において故障箇所の発見が極めて困難であり、また、実際の修理作業を行う場合に焼却炉体の耐火コンクリートあるいは耐火レンガを破壊することが必要とされ、困難を極めているので、一次燃焼室への空気供給の簡単な構造及び保守点検の容易な構造を課題とする。
【００１９】
更に、ロストル及びロストル台の構造を改善することにより、一次燃焼室の燃焼の効率をよりよくすることを課題とする。
【課題を解決するための手段】
【００２０】
上記目的を達成するために、本発明の冷却機構付バーナー装置においては、下記のような手段を取った。
【００２１】
請求項１に記載の本発明は、被燃焼物を燃焼する一次燃焼室を形成する焼却炉体の下部にロストルを設け、該燃焼炉体には焼却物投入口と焼却灰排出口を設け、該焼却物投入口には投入口密閉扉を開閉自在に設け、該焼却灰排出口には排出口密閉扉を開閉自在に設け、前記燃焼炉体の上面には前記一次燃焼室に連通する排気筒を設け、該排気筒は二次燃焼室を形成すると共に上端部に排気口を有する焼却炉であって、
前記排気筒に一次燃焼室から流れてくる燃焼ガスを昇温させるバーナー装置を取付け、該バーナー装置は、外筒と、該外筒の外周に設置した冷却空気を供給する冷却環と、該外筒の内側に外筒と同心状の２重管として配置したドラフトチューブと呼ばれている内筒と、を有する冷却機構を備えている、ことから構成されている冷却機構付バーナー装置である、ことを特徴とする高耐火性焼却炉である。
【００２２】
請求項２に記載の本発明は、被燃焼物を燃焼する一次燃焼室を形成する焼却炉体の下部にロストルを設け、該燃焼炉体には焼却物投入口と焼却灰排出口を設け、該焼却物投入口には投入口密閉扉を開閉自在に設け、該焼却灰排出口には排出口密閉扉を開閉自在に設け、前記燃焼炉体の上面には前記一次燃焼室に連通する排気筒を設け、該排気筒は二次燃焼室を形成すると共に上端部に排気口を有する焼却炉であって、
前記ロストル及び該ロストルを支えるロストル台は、耐火コンクリート若しくはセラミックの成型品であり、該ロストル台には一次燃焼室への空気供給を行うために焼却炉体外に設置されたブロアに連通した一次空気送風管に接続された空気流通経路を設け、該空気流通経路には焼却炉体内への空気吹出し口を設けた、ことを特徴とする高耐火性焼却炉である。
【００２３】
請求項３に記載の本発明は、請求項２に記載の焼却炉であって、前記排気筒に一次燃焼室から流れてくる燃焼ガスを昇温させるバーナー装置を取付け、該バーナー装置は、外筒と、該外筒の外周に設置した冷却空気を供給する冷却環と、該外筒の内側に外筒と同心状の２重管として配置したドラフトチューブと呼ばれている内筒と、を有する冷却機構を備えている、ことから構成されている冷却機構付バーナー装置である、ことを特徴とする高耐火性焼却炉である。
【００２４】
請求項４に記載の本発明は、請求項３に記載の焼却炉であって、前記冷却機構付バーナー装置は、前記冷却環には外部から冷却空気を供給する空気供給口が立設され、前記外筒には該冷却環から送られた空気を流入させる複数の外筒空気孔が穿設され、前記同心状の外筒と内筒との間には隙間が設けられた、ことから構成されている冷却機構付バーナー装置である、ことを特徴とする高耐火性焼却炉である。
【００２５】
請求項５に記載の本発明は、被燃焼物を燃焼する一次燃焼室を形成する焼却炉体の下部にロストルを設け、該燃焼炉体には焼却物投入口と焼却灰排出口を設け、該焼却物投入口には投入口密閉扉を開閉自在に設け、該焼却灰排出口には排出口密閉扉を開閉自在に設け、前記燃焼炉体の上面には前記一次燃焼室に連通する排気筒を設け、該排気筒に連通して二次燃焼室を形成すると共に上端部に排気口を有する燃焼筒を設けた焼却炉であって、
前記排気筒に一次燃焼室から流れてくる燃焼ガスを昇温させるバーナー装置を斜め上方へ設け、該バーナー装置の火炎が排気筒の中を渦巻状に回流するように配置され、
該バーナー装置は、外筒と、該外筒の外周に設置した冷却空気を供給する冷却環と、該外筒の内側に外筒と同心状の２重管として配置したドラフトチューブと呼ばれている内筒と、を有する冷却機構を備えている、ことから構成されている冷却機構付バーナー装置であり、該冷却機構付バーナー装置は、前記冷却環には外部から冷却空気を供給する空気供給口が立設され、前記外筒には該冷却環から送られた空気を流入させる複数の外筒空気孔が穿設され、前記同心状の外筒と内筒との間には隙間が設けられており、
前記ロストル及び該ロストルを支えるロストル台は、耐火コンクリート若しくはセラミックの成型品であり、該ロストル台には一次燃焼室への空気供給を行うために焼却炉体外に設置されたブロアに連通した一次空気送風管に接続された空気流通経路を設け、該空気流通経路には焼却炉体内への空気吹出し口を設けた、ことを特徴とする高耐火性焼却炉である。
【００２６】
請求項１、請求項３、請求項４、及び請求項５は、バーナー本体の材質である金属の早期劣化を抑制するために、冷却環に供給された冷却空気を、バーナー本体に噴射する構造を提供するものである。具体的には、空気供給用ブロアに接続された空気供給管からの冷却空気を冷却環に供給し、該冷却空気を外筒内に流入させ、換言すると、該外筒から同心状に配置した２重管の内筒の外周に流入させ、該流入した冷却空気をドラフトチューブと呼ばれている内筒に、すなわち、バーナー本体に噴射して、該バーナー本体を冷却するものである。
【００２７】
また、当該冷却空気は、バーナー本体の火炎により燃焼熱となり、当該燃焼熱は搬送されて2次燃焼室へ供給され、被燃焼物の燃焼を助長して完全燃焼を図ることができる。
【００２８】
また、請求項２、請求項３、請求項４、及び請求項５は、ロストル及びロストル台を耐火コンクリート若しくはセラミックの成型品としたことにより、製造容易、取扱い容易、熱的強度及び耐久性を向上させ、且つロストル台に空気流通経路を設けたことにより、従来の焼却炉体の側壁に一次空気供給管を埋設し一次燃焼室全般への空気供給を行う方法による故障発生時において故障箇所の発見の困難性が解消され、さらに、故障が生じても、焼却炉体の修理作業としての耐火コンクリートあるいは耐火レンガを破壊するということもなく、ロストル及びロストル台の交換作業で解消できる、という保守性が容易となった。
【００２９】
また、当該ロストル台の空気吹出し口から供給された空気は、ロストルのロストル空気孔を通過して一次燃焼室へ供給されるので空気の供給が効率よくなり、一次燃焼室の燃焼効率を向上させることができるようになった。
【００３０】
また、請求項４、及び請求項５は、バーナー本体の材質である金属の早期劣化を抑制するために、冷却環に供給された冷却空気を、バーナー本体に噴射する構造を提供するものである。具体的には、空気供給用ブロアに接続された空気供給管からの冷却空気を冷却環に立設した空気供給口に供給し、該冷却空気を外筒に穿設された複数の外筒空気孔から外筒内に流入させ、換言すると、前記同心状の外筒と内筒との隙間に該冷却空気を流入させ、該流入した冷却空気をドラフトチューブと呼ばれている内筒に、すなわち、バーナー本体に噴射して、該バーナー本体を冷却するものである。
【００３１】
また、請求項５は、一対の冷却機構付バーナー装置をお互いに高低差をもって配置し、当該一対の冷却機構付バーナー装置の火炎が排気筒の中を渦巻状に回流することによって、被燃焼物の完全燃焼を図ることができるようにしたものである。尚、当該被燃焼物には、木材、紙類、廃プラ、その他の廃棄物がそれぞれ所定の比率で含まれている。
【発明の効果】
【００３２】
本発明は、以上の説明から、以下に記載されるような効果を奏する。
【００３３】
本発明の高耐火性焼却炉は、排気筒若しくは燃焼筒に取付けられたバーナー装置のバーナー本体の火炎により排気筒若しくは燃焼筒の２次燃焼室内の温度が上昇し、当該バーナー本体は、その材質である金属の温度上昇による劣化が進み、比較的早い時期に変形、亀裂が生じて使用することができなくなる場合があったが、本発明の高耐火性焼却炉の冷却機構付バーナー装置を取付けることにより、バーナー本体の金属の劣化を抑制することができるようになった。すなわち、本発明の冷却機構付バーナー装置は、バーナー本体に冷却空気を噴射することによって、バーナー本体の材質である金属の劣化を抑制することができる。また、当該冷却機構付バーナー装置は、高耐火性焼却炉に取付けることに限定するものではなく、他の機械、装置等に取付けて利用することができる。
【００３４】
また、本発明の高耐火性焼却炉は、ロストル及びロストル台を耐火コンクリート若しくはセラミックの成型品としたことにより、熱的強度の向上及び製造が容易となり、且つ保守点検が容易になり、更に、従来から当該ロストル及びロストル台をステンレス等の金属製を用いていたので焼却による熱劣化により、比較的早期に細りや切れが生じて使用が不能となる場合が多かったが、当該ロストル及びロストル台を成形品としたことにより、早期の熱劣化による細りや切れが抑制することできるようになった。
【００３５】
また、従来の一次燃焼室の燃焼をよくするために焼却炉体側壁内に一次空気供給管を埋設し一次燃焼室全般への空気供給を行う方法を止めて、ロストル台に空気流通経路を設けたことにより一次燃焼室への空気の供給が簡単になり、且つ故障発生時において故障箇所の発見が極めて容易になり、しかも、従来の修理作業のとき、焼却炉体の耐火コンクリートあるいは耐火レンガを破壊して修理する必要もなく、ロストル台及びロストルの交換で済むようになったので、保守性が改善された。
【００３６】
更に、当該ロストル台の空気吹出し口から供給された空気は、ロストルのロストル空気孔を通過して一次燃焼室へ供給されるので空気の供給が効率よくなり、一次燃焼室の燃焼効率を向上させることができるようになった。
【００３７】
このように、本発明の高耐火性焼却炉は、バーナー装置の冷却機構によりバーナー本体の熱的耐久性を高め、且つロストル及びロストル台を耐火コンクリート若しくはセラミックの成型品とすることにより熱的耐久性を高めると共に保守性の良い高耐火性焼却炉とすることができるようになった。
【発明を実施するための最良の形態】
【００３８】
以下に、本発明の実施をするための最良の形態を図面に基づいて説明する。
【００３９】
図１は、本発明の高耐火性焼却炉の一実施例の正面図である。図２は、本発明の高耐火性焼却炉の側面図の断面図である。図３は、本発明の高耐火性焼却炉の一実施例の背面図である。図４（ａ）は、本発明の高耐火性焼却炉のロストル及びロストル台を説明するための斜視図であり、（ｂ）は、ロストル及びロストル台を焼却炉体に載置するときの説明用の斜視図である。図５（ａ）は、冷却機構付バーナー装置のバーナー防護カバーを説明するための部分図であり、（ｂ）は、冷却機構付バーナー装置を説明するための（ａ）のＡ−Ａ断面図である。
【００４０】
また、図６（ａ）は、本発明の高耐火性焼却炉の冷却機構付バーナー装置の一実施例の断面図であり、（ｂ）は、他の実施例の断面図である。図７は、図６（ａ）のＢ−Ｂ断面図である。図８は、本発明の高耐火性焼却炉の冷却機構付バーナー装置を説明するための斜視図である。（ａ）は冷却環の斜視図であり、（ｂ）は外筒の斜視図であり、（ｃ）は外筒の第２実施例の斜視図であり、そして（ｄ）は内筒の斜視図である。図９は、従来のロストル及びロストル台の斜視図である。
【００４１】
次に、図１〜図８により本発明の一実施例を説明する。本発明の高耐火性焼却炉の基本構成について、主に図１〜図３に基づいて説明する。図示するように、被燃焼物を燃焼する一次燃焼室２１を形成する焼却炉体２の下部にロストル２２を設け、該燃焼炉体２には焼却物投入口２３と焼却灰排出口２４を設け、該焼却物投入口２３には投入口密閉扉２５を開閉自在に設け、該焼却灰排出口２４には排出口密閉扉２６を開閉自在に設け、前記燃焼炉体２の上面には前記一次燃焼室２１に連通する排気筒３を設け、該排気筒３に連通して二次燃焼室４１を形成すると共に上端部に排気口４２を有する燃焼筒４を設けた高耐火性焼却炉１である。また、図１〜図３の高耐火性焼却炉１では、焼却物投入口２３に、外気遮断投入装置５を取付けている。勿論、当該外気遮断投入装置５を取付けずに、焼却物投入口２３に投入口密閉扉２５を開閉自在に設けて良い。
【００４２】
次に、図１〜図３では、前記燃焼炉体２の上面には排気筒３を設け、該排気筒３の上部に燃焼筒４を設けて、当該燃焼筒４に二次燃焼室４１を形成し上端部に排気口４２を有する構造としているが、当該排気筒３に二次燃焼室４１を形成し上端部に排気口４２を設けても良い。すなわち、図１〜図３では、排気筒３と燃焼筒４とにそれぞれフランジを介して複数のボルトとナットで連結しているが、燃焼筒４を廃止し、排気筒３に二次燃焼室４１を形成し上端部に排気口４２を設けても良いのである。尚、排気筒３と燃焼筒４とを連結した構造のときには、二次燃焼室４１は、当該排気筒３と燃焼筒４とは連通しているので排気筒３にも形成されたことになる。
【００４３】
すなわち、排気筒３と燃焼筒４とを一体化した高耐火性焼却炉１では、前記燃焼炉体２の上面には前記一次燃焼室２１に連通する排気筒３を設け、該排気筒３は二次燃焼室４１を形成すると共に上端部に排気口４２を有する高耐火性焼却炉１である。
【００４４】
また、燃焼筒４内には、二次燃焼室４１内に加圧空気を供給する二次空気供給管４３が該燃焼筒４と同心に配置され、下端を排気筒３内にのぞませている。尚、前記で説明した燃焼筒４を廃止し、排気筒３に二次燃焼室４１を形成し上端部に排気口４２を設けた高耐火性焼却炉１においては、排気筒３内に、二次燃焼室４１内に加圧空気を供給する二次空気供給管４３が該排気筒３と同心に配置されている。
【００４５】
また、該二次空気供給管４３の下端面は閉塞されており、周壁には多数の空気噴射孔４４が穿設されている。これら空気噴射孔４４は、二次空気供給管４３の上半分を適宜な孔径に設定するとともに下半分を前記上半分の孔径に対し若干大きめに設定している。前記空気噴射孔４４は、上から見て渦巻き方向に噴射するよう設けられている。これにより、サイクロン効果でクリーンな燃焼ができ、さらに煤塵の発生及び排出を少なくできる。また、二次空気供給管４３の上端は、二次空気送風管４５を介してブロア４６に連通されている。
【００４６】
すなわち、ブロア４６から二次空気送風管４５を経て二次空気供給管４３に送給される空気は、空気噴射孔４４を通して燃焼筒４内に噴射される。したがって、その送風量は二次空気供給管４３の下端に近づくほど減少するため、これを二次空気供給管４３の長手軸方向に対して均等に放出させようとすれば、下半分に穿設する空気噴射孔４４の孔径を上半分に穿設した孔径より若干大きめにしなければならない。尚、図２及び図３に図示する二次空気送風管４５には、上記に説明した空気の流れを示すための矢印を付している。
【００４７】
また、前記焼却物投入口２３には、外気遮断投入装置５が設けられている。当該焼却物投入口２３には、投入口密閉扉２５が設けられている。当該投入口密閉扉２５は、外気との遮断をするもので、焼却炉体２内部と外気とが接することなく、焼却炉体２内部において発生するガスの温度が摂氏８００度以上の状態で被燃焼物を焼却できるようにしたものである。すなわち、外気遮断投入装置５は、ダイオキシン類対策特別措置法に基づく規制をクリアするものである。
【００４８】
尚、その他の高耐火性焼却炉１の基本構成及び外気遮断投入装置５の詳細については、同一出願人による特開２００３−３１４８１０号公報にて記載されている廃棄物焼却炉と同様のため、本明細書では省略する。
【００４９】
以上は、焼却炉の一般的な構造を説明したが、次に、本発明の主要な構成である冷却機構付バーナー装置、並びにロストル及びロストル台について説明する。
【００５０】
まず、図１〜図３及び図５（ａ），（ｂ）により冷却機構付バーナー装置の高耐火性焼却炉１への取付けについて説明する。当該冷却機構付バーナー装置６は、前記排気筒３に一次燃焼室２１から流れてくる燃焼ガスを昇温させるもので、排気筒３に燃焼ガスが上方へ流れ易いように取付角度αで斜め上方へ設け、且つ、該冷却機構付バーナー装置６の火炎が排気筒３の中を渦巻状に回流するように配置されている。
【００５１】
尚、上方角度αの適正角度は、実験によれば１０度が適正である。しかし、排気筒３の円筒直径等が上方角度αの適正に影響すると思われるので、１０度に限定されるものではない。また、当該火炎が排気筒３の中を渦巻状に回流するように、当該冷却機構付バーナー装置６は、排気筒３の中心に対して、当該中心からの離間距離βだけオフセットした状態で設置されている。尚、当該冷却機構付バーナー装置６の火炎は、図５（ｂ）では、反時計回りに回流している。これにより、サイクロン効果でクリーンな燃焼ができ、さらに煤塵の発生及び排出を少なくできる。また、図１では、冷却機構付バーナー装置６は、排気筒３に対して、上方角度αで取付けられているが、上方角度αに限定されるものでは無く、排気筒３に対して直角に取付けても良い。
【００５２】
すなわち、図１〜図３の高耐火性焼却炉１は、冷却機構付バーナー装置６の火炎が排気筒３の中を渦巻状に回流することによって、被燃焼物の完全燃焼を図ることができる。尚、当該被燃焼物には、木材、紙類、廃プラ、その他の廃棄物がそれぞれ所定の比率で含まれている。
【００５３】
また、排気筒３と燃焼筒４とを連通することにより、当該排気筒３と燃焼筒４とは一体となり実質的な二次燃焼室４１の容積が大きくなり、当該二次燃焼室４１にて黒煙及び悪臭の原因となる化学物質を分解したことにより、排気口４２からの排ガス中からは当該黒煙及び悪臭を除去することができるようになった。
【００５４】
また、図１及び図３では、１個の冷却機構付バーナー装置６となっているが、１個の冷却機構付バーナー装置６に限定するものでは無く、複数個の冷却機構付バーナー装置６，６、…を排気筒３に対してそれぞれ高低差を持たせ配置し、且つ排気筒３の中心からの離間距離βだけオフセットして設置しても良い。
【００５５】
また、冷却機構付バーナー装置６は、図１に示すように燃料供給管７１を介して燃料タンク７に連通されている。更に、図５（ａ）に示すように、当該冷却機構付バーナー装置６には、バーナー防護カバー６１が取付けられている。当該バーナー防護カバー６１は、冷却機構付バーナー装置６を防護すると共に、冷却機構付バーナー装置６の温度測定用の計器類を外部より防護するものである。
【００５６】
図６〜図８により、本発明の一実施例である冷却機構付バーナー装置について説明する。図示するように、本発明の冷却機構付バーナー装置６は、外筒６３と、該外筒６３の外周に設置した冷却空気を供給する冷却環６２と、該外筒６３の内側に外筒６３と同心状の２重管として配置したドラフトチューブと呼ばれている内筒６４と、を有する冷却機構を備えている。また、当該内筒６４は、バーナー本体と呼ばれているもので、当該内筒６４の先端部は、燃料の噴出し口となっている。
【００５７】
また、本発明の冷却機構付バーナー装置６は、前記冷却環６２には図示しない空気供給用ブロアに接続された空気供給管６２２を接続して外部から冷却空気を供給する空気供給口６２１が立設され、前記外筒６３には該冷却環６２から送られた空気を流入させる複数の外筒空気孔６３１、６３１、…が穿設され、前記同心状の外筒６３と内筒６４との間には隙間δが設けられた、冷却機構付バーナー装置６である。尚、図６（ｂ）の他の実施例では、外筒６３と内筒６４との間の隙間を通り抜ける空気の流れを示すための矢印を付している。また、矢印は排気筒３への空気の流れも示している。
【００５８】
尚、図６（ａ）に示すように、外筒６３の前端部（図６（ａ）の右側）は、排気筒３に取付けられている。また、冷却機構付バーナー装置６の後端部（図６（ａ）の左側）には、温度計測等の計器類が取付けられている計器取付け部６５がある。また、該計器取付け部６５には、内筒６４、すなわちバーナー本体へ燃料を供給する燃料供給管６６が接続されている。更に、該燃料供給管６６の後端部は、図示しない燃料タンクに接続されている。
【００５９】
次に、図６〜図８により、冷却環について説明する。当該冷却環６２は、内周に開口するコ字型の断面を有する環状の枠である。当該枠の外周には、外部から冷却空気を供給する空気供給口６２１が立設され、当該空気供給口６２１には空気供給管６２２が嵌挿して接続されている。当該空気供給管６２２には図示しない空気供給用ブロアに接続して連通している。そして、当該冷却環６２の内周６２３は、外筒６３の外周に設置されている。当該設置方法としては、冷却環６２の内周６２３を外筒６３に溶接する、又は、冷却環６２の内周６２３にフランジを付けてボルトとナットで締結する等で取付けられている。
【００６０】
また、当該冷却環６２は、図示では、円筒形状の場合を示しているが、円筒形に限定するものではなく、多角形等でも対応できるものである。更に、冷却環６２は、内周に開口するコ字型の断面を有する環状の枠であるが、当該コ字型に限定するものではなく、Ｕ字型でもよく、また、○型若しくは多角形でも良い。当該○型若しくは多角形のときは、外筒６３の外筒空気孔６３１の対応する箇所に空気孔を穿設して、冷却環６２から外筒６３へ空気を流入するようにすると良い。
【００６１】
次に、図６〜図８により、外筒及び内筒について説明する。当該外筒６３には、冷却環６２から送られた空気を流入させる複数の外筒空気孔６３１、６３１、…が穿設されており、該外筒６３の内側には、同心状の２重管としての内筒６４が設けられている。そして、該同心状の外筒６３と内筒６４との間に設けられた隙間δ、すなわち、外筒６３の内周と内筒６４の外周との間に設けられた隙間δに、当該外筒空気孔６３１から空気が流入する。尚、図８（ｂ）に示す外筒６３は、外筒空気孔６３１を円筒形の中心軸に対して２列の孔を平行に並べているが、（ｃ）に示す外筒６３は、２列の孔を千鳥配置したものである。この千鳥配列は、より良く空気の供給をしようとするものである。いずれを選択するかは、冷却機構付バーナー装置６の大きさ、形状、及び冷却環６２の大きさ、形状などを考慮して決めれば良い。
【００６２】
また、当該外筒６３及び内筒６４は、図示では、円筒形状の場合を示しているが、円筒形に限定するものでは無く、多角形等でも対応できるものである。尚、隙間δは、外筒６３と内筒６４とが同一多角形でない場合には同一隙間δでない場合もあるが、隙間δの機能としての空気の流通には問題ない。できるならば、同一多角形で、同一隙間δであることが望ましい。尚、上記の説明は、図６（ａ）のバーナー装置６の実施例を説明しているが、他の実施例である図６（ｂ）のバーナー装置６についても同様であるので説明を省略する。
【００６３】
次に、図６（ａ）により、バーナー本体、すなわち、ドラフトチューブと呼ばれている内筒について説明する。該内筒６４は、該外筒６３の内側であって中心線上に設置され、ドラフトチューブと呼ばれており燃料を供給するものであり、材質は金属製である。そして、灯油等の液体燃料の場合には、図示しない燃料タンクから燃料供給管６６を経由して燃料を噴霧して燃焼する。また、気体燃料についても同様である。
【００６４】
次に、冷却機構付バーナー装置の冷却機構について説明する。
【００６５】
図６〜図８により、冷却環６２の空気の流れを説明すると、まず、図示しない空気供給用ブロアから供給された空気は、空気供給管６２２を流れて空気供給口６２１に供給される。当該供給された空気は、冷却環６２のコ字型断面の空間を流れて、外筒６３に穿設された複数の外筒空気孔６３１、６３１、…から噴射されて外筒６３の内側へ供給される。
【００６６】
次に、当該供給された空気は、同心状の２重管である外筒６３と内筒６４との隙間δへ供給される。すなわち、当該外筒６３の内側へ供給される。当該供給された空気は、外筒６３の内周を周回しながら、換言すると、当該内筒６４の外周を周回しながら当該内筒６４を冷却する。また、当該供給された空気は、ドラフトチューブと呼ばれている当該内筒６４の先端部からの燃焼を助ける燃焼空気となる。また、図６（ｂ）に示す矢印は、上記の空気の流れを示すものであり、空気供給口６２１から供給された空気は、冷却環６２のコ字型断面の空間を流れて、外筒６３に穿設された複数の外筒空気孔６３１、６３１、…から噴射されて外筒６３の内側へ供給される様子を矢印によって示している。当該矢印は、排気筒３へ空気が流れていく様子を示している。
【００６７】
すなわち、冷却機構付バーナー装置６の冷却機構を通じて供給された外部よりの空気は、
内筒６４の冷却を助けると共に、内筒６４の先端部からの燃焼を助長する燃焼空気としての役割も果たしている。
【００６８】
このように、当該内筒６４の先端部から噴霧した燃料の高温を維持しながら、当該冷却機構を通じて供給された空気により、内筒６４の材質である金属の温度上昇による劣化を抑制して、比較的早い時期での変形、亀裂を防ぐことができる。
【００６９】
次に、図２及び図４（ａ），（ｂ）により焼却炉体内に載置されたロストル及びロストル台について説明する。
【００７０】
図示するように、ロストル２２及び該ロストル２２を支えるロストル台８は、耐火コンクリート若しくはセラミックの成型品であり、該ロストル台８には焼却炉体２内への空気供給を行うために焼却炉体２外に設置されたブロア４６に連通した一次空気送風管４８に接続された空気流通経路８１を設け、該空気流通経路８１には複数の空気吹出し口８２、８２、…を設けている。尚、図３に示す一次空気送風管４８には、空気の流れを示すための矢印を付している。
【００７１】
詳細に説明すると、ロストル台８は、ロストル台右８ａとロストル台左８ｂとから構成されている。ロストル台右８ａとロストル台左８ｂとは、左右対称であるので、以下は、ロストル台右８ａについて説明する。ロストル台左８ｂについても同様である。当該ロストル台右８ａには、空気流通経路８１が穿設されており、当該空気流通経路８１には、焼却炉体2の内部へ通気する複数の空気吹出し口８２，８２、…が穿設されている。当該ロストル台８ａは、耐火コンクリート若しくはセラミックの成型品とし、当該空気流通経路８１及び空気吹出し口８２は、型抜きして穴あけすると良い。また、ロストル台右８ａの下部の突き出た段部８３は、ロストル２２の底面を載置するためのものである。そして、当該ロストル台右８ａの上面の頂部８５の高さは、ロストル２２を焼却灰排出口２４より焼却炉体内へ入れるために焼却灰排出口２４の高さより低くする必要がある。また、裏面８４（図４（ａ）のロストル台左８ｂに図示）は、焼却炉体２内の側面に内接する。
【００７２】
すなわち、焼却炉体２内の側面に、左右のロストル台右８ａとロストル台左８ｂのそれぞれの裏面８４、８４を内接して、当該左右のロストル台右８ａとロストル台左８ｂのそれぞれの段部８３、８３にロストル２２の底面を載置する。尚、図４（ｂ）は、ロストル２２及びロストル台８ａ，８ｂを焼却炉体２内の底面に載置する様子を示したものである。
【００７３】
次に、ロストル及びロストル台の燃焼を促進する空気の流通について説明する。焼却炉体２内部へ供給される空気は、まず、当該焼却炉体２外の背面に設置されたブロア４６から一次空気バルブ４７を通して二股に分岐して焼却炉体２外の背面の左右の一次空気送風管４８，４８へ供給される。尚、図３に示す一次空気送風管４８には、空気の流れを示すための矢印を付している。
【００７４】
そして、当該左右の一次空気送風管４８、４８は、ロストル台右８ａ，及びロストル台左８ｂのそれぞれの空気流通経路８１，８１と接続しているので、当該ロストル台右８ａ，及びロストル台左８ｂのそれぞれの複数の空気吹出し口８２，８２、…から当該供給空気を焼却炉体２の内部へ吹出す。尚、当該一次空気送風管４８と空気流通経路８１との接続は、当該一次空気送風管４８を空気流通経路８１に嵌挿させる、若しくはそれぞれの端面同志を接触させて密接させる、等である。
【００７５】
すなわち、当該供給空気は、ロストル２２の上面へ供給し、更に、ロストル２２の上部へ吹上げて一次燃焼室２１へ供給する。また、焼却炉体２の左右に載置されたロストル台右８ａ、及びロストル台左８ｂに開口した複数の空気吹出し口８２、８２、…は、焼却炉体２のロストル２２の上面へ偏りのない空気を供給しているので、ロストル２２から上部の一次燃焼室２１へ偏りのない一様な空気の供給を行う。このように、一次燃焼室２１内に投入された被燃焼物の焼却を促進するために、空気の供給を被燃焼物に直接到達できる至近距離から行うことができる。従って、当該供給空気は、ロストル２２に置かれた被燃焼物の焼却を促進させ、発生した熱量と炎が上部方向への自然対流を促進させ、一次燃焼室２１内の全体の燃焼効率が向上する。また、一次空気送風管４８からの外気が直接ロストル台８の空気流通経路８１に供給されるので、ロストル台８を内部から冷却して温度を低下させることができ、当該ロストル台８の耐久性が向上する。また、従来の一次空気供給管に替わり空気流通経路８１をロストル台８に埋設したことにより、従来の一次空気供給管の熱疲労による早期劣化の問題がなくなった。
【００７６】
また、ロストル２２及びロストル台８の材質を耐火コンクリートあるいはセラミック製の成型構造とし、耐熱性を向上させ、空気流通経路８１をロストル台８の内部に埋設することにより全体の耐久性を向上させた。尚、ロストル８は、図４（ａ）では、角型であるが、角型に限定するものではなく、丸型、楕円形状でもよい。そして、ロストル8の形状に従って、ロストル台８の形状も変形させていけばよい。図４（ａ）では、ロストル台８は、左右のロストル台右８ａ，ロストル台左８ｂとなっているが、２体に分離することに限定するものではなく、一体であっても良い。また、ロストル２２に穿設された複数のロストル空気孔２２１、２２１、…は、焼却灰を落下させるための孔でもあり、また、燃焼空気供給調節口２６１から供給された外気を上方へ流通させるための孔でもある。
【００７７】
次に、図１及び図２により、排出口密閉扉及び外気調節扉について説明する。図示するように、焼却炉体２の下部に設けられた焼却灰排出口２４に排出口密閉扉２６が開閉自在に設けられている。当該排出口密閉扉２６には、燃焼空気供給調節口２６１が設けられ、当該燃焼空気供給調節口２６１には外気調節扉２６２が開閉自在に設けられている。当該開閉自在は、ヒンジによる開閉、摺動式による開閉等考えられるが、いずれの方式にも限定されるものではない。
【００７８】
また、燃焼の当初は、焼却炉体２前面に設けた当該排出口密閉扉２６は閉じた状態で、しかも当該外気調節扉２６２は、閉じた状態で燃焼を開始し、一定の時間が経過し、燃焼が継続し焼却炉体２の温度が上昇し安定してから当該外気調節扉２６２を開口し、燃焼空気供給調節口２６１より適切量の外気を供給すると良い。すなわち、燃焼が継続し焼却炉体２の温度が上昇し安定してから当該燃焼空気供給調節口２６１を開口して、被燃焼物に必要最小限かつ微量な空気を加えて燃焼を継続させることにより、完全燃焼が図れる。
【００７９】
次に、燃焼の過程について説明する。被燃焼物は、高耐火性焼却炉１の上部に設けられた開閉自在の投入口密閉扉２５を開き、被燃焼物を焼却物投入口２３より、焼却炉体２の一次燃焼室２１へ投入する。
【００８０】
次に、一次燃焼室２１で燃焼した被燃焼物の燃焼ガスは、排気筒３に設けられた冷却機構付バーナー装置６にて、当該被燃焼物の燃焼ガスを昇温させて、当該燃焼ガスが燃焼筒４へ流れる。当該燃焼ガスは、燃焼筒４の二次燃焼室４１にて二次空気供給管４３に設けられた空気噴射口４４より噴射された空気により完全燃焼し、当該燃焼ガスは、燃焼筒４の上部に設けられた排気口４２により外部へ流出する。尚、排気筒３と燃焼筒４とが一体となった排気筒３の場合も、同様である。
【００８１】
また、当該外部へ流出した燃焼ガスは、ダイオキシン等の有害物質を含まないクリーンな状態のガスで、環境省が規定するダイオキシン等の排出基準を充分にクリアするものである。
【００８２】
以上の説明は、開示された実施の形態のすべての点で例示であり制限的なものではない。従って、本発明の範囲は、上記の説明に限定されたものではなく、特許請求の範囲によって示されるものであり、特許請求の範囲と均等の意味及び範囲内のすべての変更が含まれることが意図されている。
【産業上の利用可能性】
【００８３】
本発明の高耐火性焼却炉は、バーナー装置の耐火性を向上させ、並びにロストル及びロストル台の耐久性を向上させることができるので、バーナー装置並びにロストル及びロストル台の耐久性を必要とする焼却炉に適用できる。
【００８４】
例えば、本発明の冷却機構付バーナー装置は、同一出願人による特開２００３−３１４８１０等の廃棄物焼却炉に取付けて利用することができる。
【図面の簡単な説明】
【００８５】
【図１】図１は、本発明の高耐火性焼却炉の一実施例の正面図である。
【図２】図２は、本発明の高耐火性焼却炉の側面図の断面図である。
【図３】図３は、本発明の高耐火性焼却炉の一実施例の背面図である。
【図４】図４（ａ）は、本発明の高耐火性焼却炉のロストル及びロストル台を説明するための斜視図であり、（ｂ）は、ロストル及びロストル台を焼却炉体に載置するときの説明用の斜視図である。
【図５】図５（ａ）は、冷却機構付バーナー装置のバーナー防護カバーを説明するための部分図であり、（ｂ）は、冷却機構付バーナー装置を説明するための（ａ）のＡ−Ａ断面図である。
【図６】図６（ａ）は、本発明の高耐火性焼却炉の冷却機構付バーナー装置の一実施例の断面図であり、（ｂ）は、他の実施例の断面図である。
【図７】図７は、図６（ａ）のＢ−Ｂ断面図である。
【図８】図８は、本発明の高耐火性焼却炉の冷却機構付バーナー装置を説明するための斜視図である。（ａ）は冷却環の斜視図であり、（ｂ）は外筒の斜視図であり、（ｃ）は外筒の第２実施例の斜視図であり、そして（ｄ）は内筒の斜視図である。
【図９】図９は、従来のロストル及びロストル台の斜視図である。
【符号の説明】
【００８６】
１  高耐火性焼却炉      
２  焼却炉体      ２１  一次燃焼室
２２  ロストル      ２２ｃ  ロストル      ２２１  ロストル空気孔
２３  焼却物投入口      ２４  焼却灰排出口      ２５  投入口密閉扉
２６  排出口密閉扉
２６１  燃焼空気供給調節口      ２６２  外気調節扉
３  排気筒
４  燃焼筒      ４１二次燃焼室      ４２排気口      ４３  二次空気供給管
４４  空気噴射口      ４５  二次空気送風管      ４６  ブロア
４７  一次空気バルブ      ４８  一次空気送風管
５  外気遮断投入装置
６  冷却機構付バーナー装置      ６１  バーナー防護カバー
６２  冷却環      ６２１  空気供給口    ６２２  空気供給管      ６２３  内周
６３  外筒      ６３１  外筒空気孔      ６４  内筒
６５  計器取付け部      ６６  燃料供給管
δ  隙間
７  燃料タンク      ７１  燃料供給管
８  ロストル台
８ａ  ロストル台右      ８ｂ  ロストル台左      ８ｃ  ロストル台
８１  空気流通経路      ８２  空気吹出し口      ８３  段部      ８４  裏面
８５  頂部
α  取付角度      β  離間距離
【図１】
2005299951.tif 000003
【図２】
2005299951.tif 000004
【図３】
2005299951.tif 000005
【図４】
2005299951.tif 000006
【図５】
2005299951.tif 000007
【図６】
2005299951.tif 000008
【図７】
2005299951.tif 000009
【図８】
2005299951.tif 000010
【図９】
2005299951.tif 000011